(57)【要約】  【課題】ペット用のベッドにおいて、ベッドがペットに噛まれて破損することを抑制することを課題とする。  【解決手段】ペット用のベッドとして、シート体と、前記シート体が平面を形成するように保持固定する枠体と、前記枠体に保持固定されたシート体の外縁部を覆い隠すとともに、シート体の表面内側を表出させる穴が設けられた硬質な材質により形成されるカバーと、前記枠体に保持固定されたシート体の裏面を支持する、前記枠体内に載置されるクッションとを有する。【選択図】  図１
2007174991.tif 000002
【特許請求の範囲】
【請求項１】
シート体と、
前記シート体が平面を形成するように保持固定する枠体と、
前記枠体に保持固定されたシート体の外縁部を覆い隠すとともに、シート体の表面内側を表出させる穴が設けられた硬質な材質により形成されるカバーと、
前記枠体に保持固定されたシート体の裏面を支持する、前記枠体内に載置されるクッションと
を有するペット用ベッド。
【発明の詳細な説明】
【技術分野】
【０００１】
本発明は犬や猫などのペットに使用させるためのベッドに関する。
【背景技術】
【０００２】
従来、犬や猫などのベッドは、種々の形状があるものの、基本的な構造は、綿やウレタンなどのクッション素材を布のカバーで覆った構造をしている。
【発明の開示】
【発明が解決しようとする課題】
【０００３】
しかし、このような構造を有するベッドは、ペットが容易に噛むことができるために、破損しやすいだけでなく、破損した部分をペットが飲み込んだ場合、ペットが喉を詰まらせたり、体調に異変をきたしたりする恐れがある。
本発明は、このような問題に鑑み、ペット用のベッドにおいて、ベッドがペットに噛まれて破損することを抑制することを課題とする。
【課題を解決するための手段】
【０００４】
上記課題を解決するために、本発明は次のような構成を有する。
請求項１に記載の発明は、シート体と、前記シート体が平面を形成するように保持固定する枠体と、前記枠体に保持固定されたシート体の外縁部を覆い隠すとともに、シート体の表面内側を表出させる穴が設けられた硬質な材質により形成されるカバーと、前記枠体に保持固定されたシート体の裏面を支持する、前記枠体内に載置されるクッションとを有するペット用ベッドである。
ここで、「硬質な材質」とは使用が想定される犬や猫等のペットが噛んでも破壊できない程度の硬さを有する材質を意味するものとする。
このような構成を有するペット用ベッドは、カバーに設けられた穴に表出するシート体部分に犬などのペットが乗るようにすることでベッドとして使用する。シート体はクッションにより支持されているので、ペットはシートを介してクッションにより支持されることとなる。
【発明の効果】
【０００５】
上記のような構成により、シート体は枠体に平面を形成するように保持固定されるので、シート体は平らな状態に維持され、犬などはシート体の表面内側を噛むことが困難となり、また、噛みやすいシート体の外縁部は硬質な材質により形成されるカバーにより覆われているので、シート体の外縁部が噛まれることはなく、また、カバーは噛まれても破損することがない。従って、ペットは本ベッドを噛んで破壊することは極めて困難であり、ベッドが噛まれて破壊されることを抑制することができる。
【発明を実施するための最良の形態】
【０００６】
以下、本発明の実施の形態について、図面を参照しながら説明する。
図１に本実施形態に係るペット用ベッドＸの斜視図を示し、図２にペット用ベッドＸの分解斜視図を示し、図３に図１におけるＡ−Ａ断面図を示す。ペット用ベッドＸは、枠体１０、クッション２０、シート体３０、カバー４０とから構成される。
枠体１０は木製であり、ロの字状の枠体と、この枠体の底面側の開口に貼りつけられる底板とにより形成されている。また、枠体の底面側の長辺を構成する両縁部には縁に沿って溝１０ａが形成されている。
クッション２０はウレタンスポンジにより形成されるものであり、枠体１０の内部にほぼ収まる略直方体の形状をしていおり、枠体１０内部に載置される。
シート体３０は、比較的丈夫な帆布などの布により形成される薄い長方形状のシートであり、一辺は前記枠体１０の縦方向の長さとほぼ等しく、他の一辺は前記枠体１０の横方向の長さと高さの２倍とを足した長さにほぼ等しい。また、シート体３０の前記枠体１０の縦方向の長さに等しい両辺は折り返されて袋状になるように縫いつけられており、この袋状の部分に丸棒３０ａが挿入されている。シート体３０は、この丸棒３０ａが内包されている縁部を枠体１０の前記溝１０ａに係合させるようにして、枠体１０の両側面と上面を覆うように載置される。この状態で、シート体３０の裏面はクッション２０にほぼ接する状態となり、クッション２０はシート体３０の裏面を支持することとなる。
カバー４０は、シート体３０に覆われた枠体１０が丁度収まる内部空間を持つ、底の無い箱状体であり、ステンレスにより形成される。また、上面には、略長方形状の角穴４０ａが設けられている。カバー４０は、シート体３０に覆われた枠体１０を内包するように載置される。これにより、シート体３０は、枠体２０に平面を形成するように保持固定される。また、シート体３０の表面内側はカバー４０の角穴４０から表出するとともに、シート体３０の縁部はカバー４０により完全に覆い隠されることになる。なお、カバー４０の側面にはネジ穴４０ｂが設けられており、この穴を介して、カバー４０は木枠１０と木ネジ４０ｃにより連結固定される。なお、この木ネジ４０ｃを通すために、木枠１０およびシート体３０には、それぞれ穴１０ｂ、３０ｂが予め設けられている。
【０００７】
次に、以上のような構成を有するペット用ベッドＸの作用について説明する。犬などのペットは、カバー４０の角穴４０ａ内に乗ることで、シート体３０を介してクッション２０に支持されて、ベッドとして使用することができる。そして、ペットは、シート体３０は、枠体２０により平面を形成した状態で固定され、この平面を形成した部分はカバー４０の角穴４０ａの部分のみが表出しており、縁部はカバー４０により覆いかくされている。従って、ペットはこの平面部分を容易に噛むことができず、シート体３０が食い破られることはほとんどない。また、カバー４０もステンレスで形成されているので、ペットが噛んで壊すことはほぼ不可能である。従って、ペット用ベッドＸを用いることで、ペットに噛んで破壊されることを防ぐことができ、ひいてはペットが破壊された部材を飲み込む事故を防ぐことができる。
また、本ペット用ベッドＸは、分解してシート体３０を容易に取り外すことができるので、シート体が汚れた際には、適宜取り外して、交換したり、洗濯したりすることができる。
なお、上記実施形態では、枠体１０の相対する２面に溝１０ａを設けて２方向に対してシート体３０を固定するようにしているが、溝を枠体の４面に設けるとともに、シート体３０の形状を変形させて４方向に対してシート体を固定するようにしてもよい。さらにシート体３０は枠体１０にピンや接着剤、その他の係合部材で直接固定してもよい。また、枠体１０、クッション２０、シート体３０、カバー４０の材質は適宜変更できることは言うまでもない。
【図面の簡単な説明】
【０００８】
【図１】実施形態に係るペット用ベッドの斜視図である。
【図２】実施形態に係るペット用ベッドの分解斜視図である。
【図３】図１のＡ−Ａ断面図である。
【符号の説明】
【０００９】
X  ペット用ベッド
１０    枠体
２０    クッション
３０    シート体
４０    カバー
４０ａ  角穴
【図１】
2007174991.tif 000003
【図２】
2007174991.tif 000004
【図３】
2007174991.tif 000005